(57)【要約】      （修正有）【課題】複数の電線を、載置壁の載置面と交差する方向に、容易に配索することができる配線モジュールを提供する。【解決手段】絶縁プロテクタ１５は電線配索部７０を有しており、電線配索部７０は複数の電圧検知線２３が載置される載置面を有する載置壁７１を有しており、載置壁７１には載置面から突出する突出部７７が形成されており、突出部７７の先端には可撓性を有するヒンジ部８０を介して複数の電圧検知線が取り付けられる電線取り付け部８１が形成されており、複数の電圧検知線は、電線取り付け部８１が載置面に沿う方向に延びた姿勢に配された状態で、電線取り付け部８１に取り付けられる。複数の電圧検知線２３が電線取り付け部８１に取り付けられた後に、ヒンジ部８０が曲げられることにより、電線取り付け部８１が載置面に交差する方向に延びた姿勢に配される配線モジュール。【選択図】図３
2015210912.tif 000002
【特許請求の範囲】
【請求項１】
複数の蓄電素子を備えた蓄電素子群に取り付けられる配線モジュールであって、
絶縁性の合成樹脂製の絶縁プロテクタと、
前記絶縁プロテクタに配索された複数の電線と、を備え、
前記絶縁プロテクタは前記複数の電線が配索された電線配索部を有しており、前記電線配索部は前記複数の電線が載置される載置面を有する載置壁を有しており、前記載置壁には前記載置面から突出する突出部が形成されており、前記突出部の先端には可撓性を有するヒンジ部を介して前記複数の電線が取り付けられる電線取り付け部が形成されており、
前記複数の電線は、前記電線取り付け部が前記載置面に沿う方向に延びた姿勢に配された状態で、前記電線取り付け部に取り付けられるようになっており、
前記複数の電線が前記電線取り付け部に取り付けられた後に、前記ヒンジ部が曲げられることにより、前記電線取り付け部が前記載置面に交差する方向に延びた姿勢に配される配線モジュール。
【請求項２】
前記電線取り付け部には、前記ヒンジと反対側の端部に、前記複数の電線が取り付けられる側と反対側に突出して形成されて、前記複数の電線を前記電線取り付け部に取り付けるための締結部材の抜け止めをするストッパが形成されている請求項１に記載の配線モジュール。
【請求項３】
前記電線取り付け部には、前記複数の電線が取り付けられる側の面に、補助壁が立ち上がって形成されている請求項１または請求項２に記載の配線モジュール。
【請求項４】
前記複数の電線は、前記複数の蓄電素子に接続されて前記複数の蓄電素子の電圧を検出するものである請求項１ないし請求項３のいずれか一項に記載の配線モジュール。
【請求項５】
絶縁性の合成樹脂製の絶縁プロテクタと、
前記絶縁プロテクタに配索された複数の電線と、を備えた配線モジュール中間体であって、
前記絶縁プロテクタは前記複数の電線が配索された電線配索部を有しており、前記電線配索部は前記複数の電線が載置される載置面を有する載置壁を有しており、前記載置壁には前記載置面から突出する突出部が形成されており、前記突出部の先端には可撓性を有するヒンジ部を介して前記複数の電線が取り付けられる電線取り付け部が形成されており、
前記複数の電線は、前記電線取り付け部が前記載置面に沿う方向に延びた姿勢に配された状態で、前記電線取り付け部に取り付けられた配線モジュール中間体。
【請求項６】
複数の蓄電素子を備えた蓄電素子群に取り付けられる配線モジュールの製造方法であって、
複数の電線が載置される載置面を備えた載置壁を有する電線配索部と、前記載置壁の前記載置面から突出する突出部と、前記突出部の先端に形成されて可撓性を有するヒンジ部を介して前記複数の電線が取り付けられる電線取り付け部と、を備えた絶縁プロテクタを形成する工程と、
前記電線配索部の載置壁に複数の電線を載置する工程と、
前記複数の電線を、前記電線取り付け部が前記載置面に沿う方向に延びた姿勢に配された状態で、前記電線取り付け部に取り付ける工程と、
前記複数の電線が前記電線取り付け部に取り付けられた後に、前記ヒンジ部を曲げることにより、前記電線取り付け部を前記載置面に交差する方向に延びた姿勢に配する工程と、を備えた配線モジュールの製造方法。
【発明の詳細な説明】
【技術分野】
【０００１】
本発明は、配線モジュール、配線モジュール中間体、及び配線モジュールの製造方法に関する。
【背景技術】
【０００２】
従来、複数のバッテリで構成されたバッテリ集合体に重ねて取り付けられてバスバーがバッテリの端子に接続されるバッテリ接続プレートとして、特許文献１に記載のものが知られている。このバッテリ接続プレートは、それぞれのバスバーに接続される複数の信号出力線が配線可能な配線材装着部を有する。
【先行技術文献】
【特許文献】
【０００３】
【特許文献１】特開２０１１−２２８２１８号公報
【発明の概要】
【発明が解決しようとする課題】
【０００４】
しかしながら、上記の技術によれば、配線材装着部はバッテリ接続プレートの板面に沿った方向にしか形成されていないため、信号出力線を配線材装着部と交差する方向に配索することが相当に困難であるという問題があった。
【０００５】
本発明は上記のような事情に基づいて完成されたものである。
【課題を解決するための手段】
【０００６】
本発明は、複数の蓄電素子を備えた蓄電素子群に取り付けられる配線モジュールであって、絶縁性の合成樹脂製の絶縁プロテクタと、前記絶縁プロテクタに配索された複数の電線と、を備え、前記絶縁プロテクタは前記複数の電線が配索された電線配索部を有しており、前記電線配索部は前記複数の電線が載置される載置面を有する載置壁を有しており、前記載置壁には前記載置面から突出する突出部が形成されており、前記突出部の先端には可撓性を有するヒンジ部を介して前記複数の電線が取り付けられる電線取り付け部が形成されており、前記複数の電線は、前記電線取り付け部が前記載置面に沿う方向に延びた姿勢に配された状態で、前記電線取り付け部に取り付けられるようになっており、前記複数の電線が前記電線取り付け部に取り付けられた後に、前記ヒンジ部が曲げられることにより、前記電線取り付け部が前記載置面に交差する方向に延びた姿勢に配される。
【０００７】
また、本発明は、複数の蓄電素子を備えた蓄電素子群に取り付けられる配線モジュールの製造方法であって、複数の電線が載置される載置面を備えた載置壁を有する電線配索部と、前記載置壁の前記載置面から突出する突出部と、前記突出部の先端に形成されて可撓性を有するヒンジ部を介して前記複数の電線が取り付けられる電線取り付け部と、を備えた絶縁プロテクタを形成する工程と、前記電線配索部の載置壁に複数の電線を載置する工程と、前記複数の電線を、前記電線取り付け部が前記載置面に沿う方向に延びた姿勢に配された状態で、前記電線取り付け部に取り付ける工程と、前記複数の電線が前記電線取り付け部に取り付けられた後に、前記ヒンジ部を曲げることにより、前記電線取り付け部を前記載置面に交差する方向に延びた姿勢に配する工程と、を備える。
【０００８】
電線配索部に配索されることにより、複数の電線は、載置壁の載置面に載置される。これにより、複数の電線は載置面に沿う方向に延びた姿勢で、電線配索部に配索される。複数の電線を電線取り付け部に取り付ける際、電線取り付け部は載置面に沿う方向に延びた姿勢とされているので、複数の電線を取り付ける作業を容易に行うことができる。その後、複数の電線を載置面に交差する方向に延びた姿勢にするためには、ヒンジ部を曲げるという簡単な操作をすればよい。これより、電線取り付け部を載置面に交差する方向に延びる姿勢へと変更することができる。この結果、複数の電線を、載置壁の載置面と交差する方向に、容易に配索することができる。
【０００９】
また、本発明においては、ヒンジ部は、載置壁から突出する突出部の先端に形成されている。これにより、載置部に載置された複数の電線と、電線取り付け部に取り付けられ複数の電線との間には、突出部の載置壁からの突出高さ寸法の分だけ、高低差が形成されている。この高低差により、載置壁と、突出部と、複数の電線との間にはスペースが形成される。このスペース内に、複数の電線が載置面と交差する姿勢に曲げられた際に、複数の電線が収容される。これにより、複数の電線が載置面と交差する姿勢に曲げられた際に、複数の電線が過度に撓むことを抑制することができる。
【００１０】
本発明の実施態様としては以下の態様が好ましい。
【００１１】
前記電線取り付け部には、前記ヒンジと反対側の端部に、前記複数の電線が取り付けられる側と反対側に突出して形成されて、前記複数の電線を前記電線取り付け部に取り付けるための締結部材の抜け止めをするストッパが形成されていることが好ましい。
【００１２】
本態様によれば、複数の電線が電線取り付け部から外れてしまうことを抑制することができる。
【００１３】
前記電線取り付け部には、前記複数の電線が取り付けられる側の面に、補助壁が立ち上がって形成されていることが好ましい。
【００１４】
本態様によれば、複数の電線が電線取り付け部から外れてしまうことを抑制することができる。
【００１５】
前記複数の電線は、前記複数の蓄電素子に接続されて前記複数の蓄電素子の電圧を検出するものとしてもよい。
【００１６】
蓄電素子の個数が増えると、電線の本数も増える。すると、複数の電線の束の剛性が増大するので、複数の電線の配索方向を変える操作が困難になることが懸念される。本態様によれば、ヒンジ部を曲げるという簡易な操作によって、複数の電線の配索方向を変えることができる。
【００１７】
また、本発明は、絶縁性の合成樹脂製の絶縁プロテクタと、前記絶縁プロテクタに配索された複数の電線と、を備えた配線モジュール中間体であって、前記絶縁プロテクタは前記複数の電線が配索された電線配索部を有しており、前記電線配索部は前記複数の電線が載置される載置面を有する載置壁を有しており、前記載置壁には前記載置面から突出する突出部が形成されており、前記突出部の先端には可撓性を有するヒンジ部を介して前記複数の電線が取り付けられる電線取り付け部が形成されており、前記複数の電線は、前記電線取り付け部が前記載置面に沿う方向に延びた姿勢に配された状態で、前記電線取り付け部に取り付けられている。
【００１８】
本発明によれば、複数の電線は載置面に沿う方向に延びた姿勢で電線取り付け部に取り付けられているので、配線モジュール中間体を運搬する際に、複数の電線が、載置壁の載置面と交差する方向に突出して、異物と接触することを抑制することができる。
【発明の効果】
【００１９】
本発明によれば、複数の電線を、載置壁の載置面と交差する方向に、容易に配索することができる。
【図面の簡単な説明】
【００２０】
【図１】本発明の実施形態１に係る配線モジュールを示す平面図
【図２】蓄電モジュールを示す平面図
【図３】絶縁プロテクタに電圧検知線を配索した状態を示す平面図
【図４】電線取り付け部を示す一部拡大断面図
【図５】電圧検知線が電線取り付け部に取り付けられた状態を示す一部拡大断面図
【図６】配線モジュール中間体を示す平面図
【図７】電線取り付け部が載置面と交差する方向に延びた姿勢に配された状態を示す一部拡大断面図
【図８】絶縁プロテクタにカバーが取り付けられた状態における電線取り付け部を示す一部拡大断面図
【発明を実施するための形態】
【００２１】
＜実施形態１＞
本発明の実施形態１を、図１ないし図８を参照しつつ説明する。図１に示すように、本実施形態に係る配線モジュール１０は、複数の蓄電素子１１を並べてなる蓄電素子群１２に取り付けられて蓄電モジュール１３を構成する。蓄電モジュール１３は、電気自動車又はハイブリッド自動車等の車両（図示せず）に搭載されて、車両を駆動するための動力源として使用される。
【００２２】
以下の説明においては、図１における左方を左方とし、右方を右方とする。また、図１における下方を前方とし、上方を後方とする。また、図４における上方を上方とし、下方を下方とする。また、以下の説明において、複数の同一部材については、一の部材に符号を付し、他の部材については符号を省略することがある。
【００２３】
（蓄電素子１１）
本実施形態に係る蓄電素子１１は二次電池である。蓄電素子１１の内部には図示しない蓄電要素が収容されている。蓄電素子１１は略直方体形状をなしている。蓄電素子１１の上面には前後方向の両端部寄りの位置に、一対の電極端子が形成されている。電極端子の一方は正極端子であり、他方は負極端子である。蓄電素子１１は、隣り合う電極端子が異なる極性となるように配置されている。複数の蓄電素子１１は左右方向に並べられて蓄電素子群１２を構成している。
【００２４】
（配線モジュール１０）
蓄電素子群１２の上面には配線モジュール１０が取り付けられている。配線モジュール１０は、左右方向に細長い形状をなしている。
【００２５】
図２に示すように、配線モジュール１０は、絶縁プロテクタ１５と、絶縁プロテクタ１５に収容された複数のバスバー１６と、絶縁プロテクタ１５に取り付けられて絶縁プロテクタ１５を上方から覆うカバー４０と、を備える。
【００２６】
（絶縁プロテクタ１５）
絶縁プロテクタ１５は、絶縁性の合成樹脂からなる。絶縁プロテクタ１５には、複数のバスバー１６をそれぞれ収容する複数の第１収容部２４が形成されている。
【００２７】
図１に示すように、第１収容部２４は上方から見て左右方向に細長い概ね長方形状をなしており、バスバー１６よりもやや大きな形状とされている。第１収容部２４にはバスバー１６の周囲を囲う第１周壁２９が形成されている。第１周壁２９の上端は上方に開口する開口部２８が形成されており、この開口部２８内にバスバー１６及び第１電圧検知端子２０が収容されるようになっている。
【００２８】
第１収容部２４の四隅のうち一の隅部には上下方向に延びる第１スリット２５が形成されている。第１スリット２５の上端部は上方に開口されている。
【００２９】
複数の第１収容部２４は、左右方向に間隔を空けて並ぶと共に、前後方向についても間隔を空けて配されている。
【００３０】
（バスバー１６）
バスバー１６は、金属板材を所定形状にプレス加工してなる。金属板材としては、銅、銅合金、鉄、鉄合金、アルミニウム、アルミニウム合金等、必要に応じて任意の金属を適宜に選択できる。バスバー１６は上方から見て左右方向に細長く延びた形状をなしている。バスバー１６には、図示しないボルトが挿通される貫通孔１９Ａがバスバー１６を貫通して形成されている。貫通孔１９Ａ内にボルトが貫通された状態で、ねじ孔が形成された電極端子にボルトが螺合されることにより、電極端子とバスバー１６とが電気的に接続される。
【００３１】
（第１電圧検知端子２０）
バスバー１６の上には蓄電素子１１の電圧を検知する第１電圧検知端子２０が重ねられている。第１電圧検知端子２０は、金属板材を所定形状にプレス加工してなる。金属板材としては銅、銅合金、鉄、鉄合金、アルミニウム、アルミニウム合金等、必要に応じて任意の金属を適宜に選択できる。第１電圧検知端子２０は、板状をなす電極接続部２１と、電極接続部２１から延出されたバレル部２２と、を備える。
【００３２】
電極接続部２１には、ボルトが挿通される貫通孔１９Ｂが形成されている。第１電圧検知端子２０は、バスバー１６によって接続される隣り合う電極端子の一方において、ボルトの頭部とバスバー１６との間に挟まれることにより、電極端子に電気的に接続されるようになっている。
【００３３】
バレル部２２には、電圧検知線２３（電線の一例）の一方の端部が圧着されている。電圧検知線２３の他方の端部は、例えばＥＣＵのような外部接続機器（図示せず）に接続されている。バレル部２２は電極接続部２１の側方から延出されている。
【００３４】
バレル部２２は、第１収容部２４の第１スリット２５内に収容されている。これにより、バレル部２２は、第１収容部２４の四隅のうち、一の隅部から、第１収容部２４の外部に導出されている。
【００３５】
なお、ＥＣＵは、マイクロコンピュータ、素子等が搭載されたものであって、蓄電素子１１の電圧・電流・温度等の検知、各蓄電素子１１の充放電コントロール等を行うための機能を備えた周知の構成のものである。
【００３６】
（第２電圧検知端子５０）
また、蓄電素子１１の上面には、前後方向の中央付近の位置に、蓄電要素と電気的に接続されると共に、蓄電要素の電圧をモニターするためのモニター電極（図示せず）が形成されている。このモニター電極の上面には第２電圧検知端子５０が接続されている。第２電圧検知端子５０は、金属板材を所定形状にプレス加工してなる。金属板材としては銅、銅合金、鉄、鉄合金、アルミニウム、アルミニウム合金等、必要に応じて任意の金属を適宜に選択できる。第２電圧検知端子５０は、板状をなす電極接続部５１と、電極接続部５１から延出されたバレル部５２と、を備える。
【００３７】
電極接続部５１には、図示しないボルトが挿通される貫通孔１９Ｃが形成されている。第２電圧検知端子５０は、ボルトの頭部とモニター電極との間に挟まれることにより、モニター電極に電気的に接続されるようになっている。
【００３８】
バレル部５２には、電圧検知線２３（電線の一例）の一方の端部が圧着されている。電圧検知線２３の他方の端部は、例えばＥＣＵのような外部接続機器（図示せず）に接続されている。バレル部５２は電極接続部５１の側方から延出されている。
【００３９】
絶縁プロテクタ１５には、前後に間隔を空けて配された複数の第１収容部２４の間の位置に、第２電圧検知端子５０が収容される第２収容部５４が形成されている。
【００４０】
図１に示すように、第２収容部５４は上方から見て略長方形状をなしており、第２電圧検知端子５０よりもやや大きな形状とされている。第２収容部５４には第２電圧検知端子５０の周囲を囲う第２周壁５９が形成されている。第２周壁５９の上端は上方に開口する開口部５８が形成されており、この開口部５８内に第２電圧検知端子５０が収容されるようになっている。
【００４１】
第２収容部５４を構成する第２周壁５９には、上下方向に延びる第２スリット５５が形成されている。第２スリット５５の上端部は上方に開口されている。
【００４２】
第２電圧検知端子５０のバレル部５２は第２スリット５５内に収容されている。これにより、第２電圧検知端子５０のバレル部５２は、第２スリット５５から、第２収容部５４の外部に導出されている。
【００４３】
（電線配索部７０）
図３に示すように、絶縁プロテクタ１５には、複数の電圧検知線２３が配索される電線配索部７０が形成されている。電線配索部７０は、絶縁プロテクタ１５の延びる方向（左右方向）に沿って細長く延びて形成されている。
【００４４】
電線配索部７０は、複数の電圧検知線２３が載置される載置壁７１と、この載置壁７１の側縁から上方に立ち上がって形成された一対の側壁７２と、を備えた溝状に形成されている。載置壁７１の上面は、電圧検知線２３が載置される載置面７６とされる。電線配索部７０は、前側（図１における下側）に配された複数の第１収容部２４と複数の第２収容部５４との間に形成された第１分岐部７３と、後側（図１における上側）に配された複数の第１収容部２４と複数の第２収容部５４との間に形成された第２分岐部７４と、第１分岐部７３の右端部と第２分岐部７４の右端部とが互いに接近して一体化すると共に右方に延出された合流部７５と、を備える。
【００４５】
図４に示すように、合流部７５の右端部には、載置壁７１の載置面７６から側壁７２が立ち上がる方向（上方）に突出する突出部７７が形成されている。突出部７７は、上方から見て、前後方向に延びる本体７８と、本体７８の前端部及び後端部から、それぞれ左方に延びる２つの延出部７９と、を備える。突出部７７の延出部７９は、側壁７２の右端部と連続して形成されている。また、突出部７７の、載置壁７１からの上方への突出高さ寸法は、側壁７２の、載置壁７１からの上方への突出高さ寸法よりも高く設定されている。
【００４６】
突出部７７の本体７８の上端部には、本体７８と一体に形成されたヒンジ部８０が形成されている。ヒンジ部８０は、突出部７７及び電線取り付け部８１よりも薄く形成されており、可撓性を有する。ヒンジ部８０には、本体７８と反対側の端部に、複数の電圧検知線２３が取り付けられる電線取り付け部８１が形成されている。換言すると、突出部７７の上端部には、ヒンジ部８０を介して電線取り付け部８１が形成されている。
【００４７】
電線取り付け部８１は板状をなしており、ヒンジ部８０側の端部においてはヒンジ部８０よりもやや幅広に形成されている。また、電線取り付け部８１は、図３における上方から見て、右前端部が凹んで形成されている。このように電線取り付け部８１の一部が凹んだ形状とされていることにより、締結部材８４を、電線取り付け部８１及び電圧検知線２３の外周に巻回することが、容易になっている。
【００４８】
図４に示すように、電線取り付け部８１の後端部には、図４における左右方向に延びる補助壁８２が、上方に突出して形成されている。補助壁８２は前後方向から見て略長方形状をなしている。補助壁８２の左右方向の長さ寸法は、電線取り付け部８１の左右方向の長さ寸法と同じか、又は、やや小さく設定されている。
【００４９】
図４に示すように、電線取り付け部８１の右端部には、下方に突出するストッパが形成されている。図５に示すように、ストッパ８３は、複数の電圧検知線２３を電線取り付け部８１に取り付ける締結部材８４に対して右方から当接することにより、締結部材８４が電線取り付け部８１から右方に抜け落ちることを抑制するようになっている。
【００５０】
（カバー４０）
図２に示すように、絶縁プロテクタ１５の上面に合成樹脂製のカバー４０が取り付けられることにより、絶縁プロテクタ１５の上面はカバー４０によって覆われるようになっている。カバー４０は、概ね、上方から見た絶縁プロテクタ１５の形状に倣って形成されている。カバー４０の右端部からは電線配索部７０の合流部７５に対応する位置に、右方に延びる延長カバー部４１が形成されている。延長カバー部４１の左右方向の長さ寸法は、合流部７５の左右方向の長さ寸法よりも短く設定されており、延長カバー部４１の右方からは、合流部７５及び電線取り付け部８１が露出している。
【００５１】
図２に示すように、カバー４０のうち、図２における右後端部は凹状に形成された凹部４２とされている。凹部４２に対応する領域においては、絶縁プロテクタ１５の一部が露出している。絶縁プロテクタ１５のうち、凹部４２から露出した部分には、蓄電モジュール１３と外部機器とを接続する外部接続端子３０が配されている。外部接続端子３０は、絶縁プロテクタ１５に形成された外部接続端子カバー３１によって上方から覆われている。
【００５２】
（電圧検知線２３の電線取り付け部８１への取り付け構造）
図５及び図６に示すように、複数の電圧検知線２３は、電線取り付け部８１が載置面７６に沿う方向に延びた姿勢に配された状態で、締結部材８４によって電線取り付け部８１に取り付けられるようになっている。本実施形態においては、複数の電圧検知線２３は、電線取り付け部８１が載置面７６に平行な方向に延びた姿勢に配された状態で、電線取り付け部８１に取り付けられるようになっている。
【００５３】
締結部材８４は、細長い帯状に形成されている。締結部材８４は、合成樹脂、金属等、必要に応じて任意の材料から構成される。
【００５４】
複数の電圧検知線２３が電線取り付け部８１の上面に載置された状態で、締結部材８４は、複数の電圧検知線２３及び電線取り付け部８１の外側から締結部材８４が巻回されている。締結部材８４は、公知の締結手段によって、複数の電圧検知線２３及び電線取り付け部８１が締結部材８４によって締め付けられた状態で、固定される。
【００５５】
図５に示すように、ストッパ８３が締結部材８４に右方から当接することにより、ストッパ８３の右方への抜け止めを抑制するようになっている。
【００５６】
図５に示すように、載置壁７１の載置面７６から突出部７７が突出していることにより、複数の電圧検知線２３と、載置壁７１と、突出部７７とに囲まれた領域には、スペースが形成されている。
【００５７】
図７に示すように、複数の電圧検知線２３が電線取り付け部８１に取り付けられた状態で、ヒンジ部８０が曲げられることにより、電線取り付け部８１が載置面７６に交差する方向に延びた姿勢に配されるようになっている。本実施形態においては、電線取り付け部８１は載置面７６に対して略直交する方向に延びた姿勢で配されるようになっている。なお、略直交とは、載置面７６と電線取り付け部８１の延びる方向とが９０°である場合を含むと共に、８５°〜９５°である場合を含む。
【００５８】
図７に示すように、ヒンジ部８０が曲げられた状態においては、複数の電圧検知線２３は、載置壁７１の載置面７６から交差する方向に曲げられている。複数の電圧検知線２３が束ねられた場合、複数の電圧検知線２３を曲げるためには、複数の電圧検知線２３が撓む領域が必要となる。電圧検知線２３の本数が多くなればなるほど、電圧検知線２３が撓むために必要とされる領域は大きくなる。
【００５９】
本実施形態においては、図５に形成されたスペース内に、撓んだ電圧検知線２３が収容されるようになっている。
【００６０】
なお、図８に示すように、ヒンジ部８０が曲げられ、且つ、カバー４０が絶縁プロテクタ１５に取り付けられた状態において、延長カバー部４１と、複数の電圧検知線２３とは離間しており、互いに干渉しないようになっている。
【００６１】
（本実施形態の製造工程の一例）
続いて、本実施形態に係る蓄電モジュール１３の製造工程の一例を示す。なお、蓄電モジュール１３の製造工程は下記の記載に限定されない。
【００６２】
まず、絶縁性の合成樹脂により、絶縁プロテクタ１５を所定の形状に射出成型する。絶縁プロテクタ１５の第１収容部２４にバスバー１６を収容する。
【００６３】
また、金属板材をプレス加工することにより、第１電圧検知端子２０、及び第２電圧検知端子５０を所定の形状に成形する。第１電圧検知端子２０のバレル部２２に電圧検知線２３の端部を圧着する。また、第２電圧検知端子５０のバレル部５２に電圧検知線２３の端部を圧着する。
【００６４】
絶縁プロテクタ１５の第１収容部２４内に第１電圧検知端子２０を収容する。このとき、バレル部２２を第１スリット２５内に収容する。バレル部２２に接続された電圧検知線２３は電線配索部７０内に配索する。
【００６５】
また、絶縁プロテクタ１５の第２収容部５４内に第２電圧検知端子５０を収容する。このとき、バレル部５２を第２スリット５５内に収容する。バレル部５２に接続された電圧検知線２３は電線配索部７０内に配索する。
【００６６】
複数の電圧検知線２３を電線配索部７０内に配索する。詳細には、電圧検知線２３は、第１分岐部７３又は第２分岐部７４内に配索された後、合流部７５内へと配索される。複数の電圧検知線２３は、合流部７５において、１つの束に纏められる。
【００６７】
電線取り付け部８１が、載置壁７１の載置面７６に沿う方向に延びた姿勢で配された状態で、電線取り付け部８１の上面に複数の電圧検知線２３を載置する。その後、複数の電圧検知線２３の外周に、締結部材８４を巻き付けて、締結部材８４を締め付けることにより、複数の電圧検知線２３を電線取り付け部８１に取り付ける。これにより、配線モジュール中間体８５が形成される。
【００６８】
複数の配線モジュール中間体８５を、図示しない他の工場に移送する。このとき、複数の配線モジュール中間体８５を、載置壁７１の載置面７６に交差する方向に積層してもよい。
【００６９】
他の工場に移送された配線モジュール中間体８５を、複数の蓄電素子１１が並べられた蓄電素子群１２の上に取り付ける。蓄電素子１１の電極端子とバスバー１６とを電気的に接続する。
【００７０】
絶縁プロテクタ１５のヒンジ部８０を曲げて、電線取り付け部８１を、載置壁７１の載置面７６に交差する方向に延びた姿勢に配する。絶縁プロテクタ１５の上面にカバー４０を取り付けて、絶縁プロテクタ１５の上面を覆う。これにより、蓄電モジュール１３が完成する。
【００７１】
（本実施形態の作用、効果）
続いて、本実施形態の作用、効果について説明する。本実施形態によれば、複数の蓄電素子１１を備えた蓄電素子群１２に取り付けられる配線モジュール１０は下記の構成を有する。すなわち、配線モジュール１０は、絶縁性の合成樹脂製の絶縁プロテクタ１５と、絶縁プロテクタ１５に配索された複数の電圧検知線２３と、を備える。絶縁プロテクタ１５は複数の電圧検知線２３が配索された電線配索部７０を有している。電線配索部７０は複数の電圧検知線２３が載置される載置面７６を有する載置壁７１を有しており、載置壁７１には載置面７６から突出する突出部７７が形成されており、突出部７７の先端には可撓性を有するヒンジ部８０を介して、電線取り付け部８１が形成されている。電線取り付け部８１には複数の電圧検知線２３が取り付けられている。複数の電圧検知線２３は、電線取り付け部８１が載置面７６に沿う方向に延びた姿勢に配された状態で、電線取り付け部８１に取り付けられるようになっており、複数の電圧検知線２３が電線取り付け部８１に取り付けられた後に、ヒンジ部８０が曲げられることにより、電線取り付け部８１が載置面７６に交差する方向に延びた姿勢に配される。
【００７２】
複数の電圧検知線２３は、電線配索部７０に配索されることにより、載置壁７１の載置面７６に載置される。これにより、複数の電圧検知線２３は載置面７６に沿う方向に延びた姿勢で、電線配索部７０に配索される。複数の電圧検知線２３を電線取り付け部８１に取り付ける際、電線取り付け部８１は載置面７６に沿う方向に延びた姿勢とされているので、複数の電圧検知線２３を取り付ける作業を容易に行うことができる。その後、複数の電圧検知線２３を載置面７６に交差する方向に延びた姿勢にするためには、ヒンジ部８０を曲げるという簡単な操作すればよい。この操作により、電線取り付け部８１を載置面７６に交差する方向に延びる姿勢へと変更することができる。この結果、複数の電圧検知線２３を、載置壁７１の載置面７６と交差する方向に、容易に配索することができる。
【００７３】
また、本実施形態においては、ヒンジ部８０は、載置壁７１から突出する突出部７７の先端に形成されている。これにより、載置壁７１に載置された複数の電圧検知線２３と、電線取り付け部８１に取り付けられ複数の電圧検知線２３との間には、突出部７７の載置壁７１からの突出高さ寸法Ｌの分だけ、高低差が形成されている。この高低差により、載置壁７１と、突出部７７と、複数の電圧検知線２３との間にはスペース８６が形成される。このスペース８６内に、複数の電圧検知線２３が載置面７６と交差する姿勢に曲げられた際に、複数の電圧検知線２３が収容される。これにより、複数の電圧検知線２３が載置面７６と交差する姿勢に曲げられた際に、複数の電圧検知線２３が過度に撓むことを抑制することができる。
【００７４】
また、本実施形態によれば、電線取り付け部８１には、ヒンジ部８０と反対側の端部に、複数の電圧検知線２３が取り付けられる側と反対側に突出して形成されて、複数の電圧検知線２３を電線取り付け部８１に取り付けるための締結部材８４の抜け止めをするストッパ８３が形成されている。これにより、載置壁７１に載置された複数の電圧検知線２３と、電線取り付け部８１に取り付けられ複数の電圧検知線２３との間には、突出部７７の載置壁７１からの突出高さ寸法Ｌの分だけ、高低差が形成されている。この高低差により、載置壁７１と、突出部７７と、複数の電圧検知線２３との間にはスペース８６が形成される。このスペース８６内に、複数の電圧検知線２３が載置面７６と交差する姿勢に曲げられた際に、複数の電圧検知線２３が収容される。これにより、複数の電圧検知線２３が載置面７６と交差する姿勢に曲げられた際に、複数の電圧検知線２３が過度に撓むことを抑制することができる。
【００７５】
また、本実施形態によれば、電線取り付け部８１には、複数の電圧検知線２３が取り付けられる側の面に、補助壁８２が立ち上がって形成されている。これにより、複数の電圧検知線２３が電線取り付け部８１から外れてしまうことを抑制することができる。
【００７６】
また、本実施形態によれば、複数の電圧検知線２３は、複数の蓄電素子１１に接続されて複数の蓄電素子１１の電圧を検出する。蓄電素子１１の個数が増えると、電圧検知線２３の本数も増える。すると、複数の電圧検知線２３の束の剛性が増大するので、複数の電圧検知線２３の配索方向を変える操作が困難になることが懸念される。本実施形態によれば、ヒンジ部８０を曲げるという簡易な操作によって、複数の電圧検知線２３の配索方向を変えることができる。
【００７７】
また、本実施形態によれば、絶縁性の合成樹脂製の絶縁プロテクタ１５と、絶縁プロテクタ１５に配索された複数の電圧検知線２３と、を備えた配線モジュール中間体８５は、以下の構成を有する。すなわち、絶縁プロテクタ１５は複数の電圧検知線２３が配索された電線配索部７０を有しており、電線配索部７０は複数の電圧検知線２３が載置される載置面７６を有する載置壁７１を有しており、載置壁７１には載置面７６から突出する突出部７７が形成されており、突出部７７の先端には可撓性を有するヒンジ部８０を介して複数の電圧検知線２３が取り付けられる電線取り付け部８１が形成されており、複数の電圧検知線２３は、電線取り付け部８１が載置面７６に沿う方向に延びた姿勢に配された状態で、電線取り付け部８１に取り付けられる。
【００７８】
本実施形態によれば、複数の電圧検知線２３は載置面７６に沿う方向に延びた姿勢で電線取り付け部８１に取り付けられているので、配線モジュール中間体８５を運搬する際に、複数の電圧検知線２３が、載置壁７１の載置面７６と交差する方向に突出して、異物と接触することを抑制することができる。
【００７９】
また、本実施形態においては、複数の蓄電素子１１を備えた蓄電素子群１２に取り付けられる配線モジュール１０の製造方法は、複数の電圧検知線２３が載置される載置面７６を備えた載置壁７１を有する電線配索部７０と、載置壁７１の載置面７６から突出する突出部７７と、突出部７７の先端に形成されて可撓性を有するヒンジ部８０を介して複数の電圧検知線２３が取り付けられる電線取り付け部８１と、を備えた絶縁プロテクタ１５を形成する工程と、電線配索部７０の載置壁７１に複数の電圧検知線２３を載置する工程と、複数の電圧検知線２３を、電線取り付け部８１が載置面７６に沿う方向に延びた姿勢に配された状態で、電線取り付け部８１に取り付ける工程と、複数の電圧検知線２３が電線取り付け部８１に取り付けられた後に、ヒンジ部８０を曲げることにより、電線取り付け部８１を載置面７６に交差する方向に延びた姿勢に配する工程と、を備える。
【００８０】
＜他の実施形態＞
本発明は上記記述及び図面によって説明した実施形態に限定されるものではなく、例えば次のような実施形態も本発明の技術的範囲に含まれる。
【００８１】
（１）本実施形態においては、１つの配線モジュール１０に１つの電線取り付け部８１が形成される構成としたが、これに限られず、１つの配線モジュール１０に複数の電線取り付け部８１が形成される構成としてもよい。
【００８２】
（２）本実施形態においては、絶縁プロテクタ１５の端部に電線取り付け部８１が形成される構成としたが、これに限られず、電線取り付け部８１は、例えば、絶縁プロテクタ１５の左右方向の中央付近に形成されていてもよく、電線取り付け部８１は必要に応じて絶縁プロテクタ１５の任意の位置に形成することができる。
【００８３】
（３）本実施形態においては、ヒンジ部８０が曲げられることにより、電線取り付け部８１は、載置壁７１の載置面７６に直交する方向に延びる姿勢に配される構成としたが、これに限られず、電線取り付け部８１は、載置面７６に対して任意の角度で交差する方向に延びる姿勢に配される構成としてもよい。
【００８４】
（４）本実施形態においては、複数の電線は蓄電素子１１の電圧を検知するものとしたが、これに限られず、複数の電線は、蓄電素子１１の温度を検知するものとしてもよい。また、複数の電線は、蓄電素子１１に接続されていなくてもよく、例えば、蓄電モジュール１３とは異なる機器に接続された複数の電線が、配線モジュール１０に配索されているものであってもよい。
【００８５】
（５）ストッパ８３は省略することができる。
【００８６】
（６）補助壁８２は省略することができる。
【００８７】
（７）蓄電素子１１は、キャパシタ、またはコンデンサとすることができる。
【符号の説明】
【００８８】
１０：配線モジュール
１１：蓄電素子
１２：蓄電素子群
１５：絶縁プロテクタ
２３：電圧検知線
７０：電線配索部
７１：載置壁
７６：載置面
７７：突出部
８０：ヒンジ部
８１：電線取り付け部
８２：補助壁
８３：ストッパ
８５：配線モジュール中間体
【図１】
2015210912.tif 000003
【図２】
2015210912.tif 000004
【図３】
2015210912.tif 000005
【図４】
2015210912.tif 000006
【図５】
2015210912.tif 000007
【図６】
2015210912.tif 000008
【図７】
2015210912.tif 000009
【図８】
2015210912.tif 000010